(57)【特許請求の範囲】
【請求項１】
前面板，左右側面板，後面板を有し、前面板３０ａ，左右側面板３０，３０，後面板３０ｂに、ほゞ水平方向の２列のジッパー線ｌ，ｌで構成した、連続した広幅テープ状の切断開放片１５を区画して設けた直方体状の紙箱において、
前面板３０ａの広幅テープ状の切断開放片１５の下側に、傾斜表示板１０の上辺を谷折り線ｆを介して前面板３０ａと区画して、また傾斜表示板１０の下辺を切れ目線ｇを介して前面板３０ａと区画して、さらに傾斜表示板１０の斜めの左右辺に、三角折立て片１３，１３を折り目線ｈ，ｈを介して連設して、この三角折立て片１３，１３の左辺及び右辺と下辺とを切れ目線ｉ，ｉを介して前面板３０ａと区画して、また三角折立て片１３，１３の下部の向合った右辺及び左辺に、垂直連設片１４，１４を折り目線ｊ，ｊを介して連設して、この垂直連設片１４，１４の向合った右辺及び左辺を谷折り線ｋ，ｋを介して前面板３０ａと区画して、三角折立て片１３，１３を左右から挟むように押込んで折立てながら、傾斜表示板１０を前方手前に引出すことを特徴とする傾斜表示板付の紙箱。
【発明の詳細な説明】
【０００１】
【発明の属する技術分野】
本発明は、袋入りや小箱入りのスナック菓子、食品類などを幅広く収容し、運搬、保管用を兼ねた板紙製や段ボール紙製などの紙箱に関するものであり、詳しくは簡単に上部を開放でき、しかも紙箱の一部で見やすい表示板を形成できる店頭展示、販売用の傾斜表示板付の紙箱に関する。
【０００２】
【従来の技術】
従来から、袋入りや小箱入りのスナック菓子、食品類などを幅広く収容し、運搬、保管用を兼ねた板紙製や段ボール紙製などの紙箱は、例えば図３Ａに示すような、上面板２０の前辺に表示板２３を連設して、また前の側面板３０に大型Ｕ字状の展示開口３２を設けたことによって、上面板２０と表示板２３とを開蓋するだけて、簡単に上部と前部とを開蓋して内容物を展示させることができる構造であった。そして、表示板２３の下部を後の側面板３０の内側に差込むだけで、簡単に上方に飛出した表示板２３を形成することができる、店頭展示、販売用の紙箱が一般に広く用いられている。
【０００３】
また図３Ｂに示すような、上面板２０の前部に、表示板２４を折り目線ｎほかを介して区画して設けて、また左右の側面板３０,３０の後上端部から前の側面板３０の中央下部にかけて、連続した適宜の切れ目線ｏを設けたことによって、上面板２０と表示板２４とを開蓋して、折り目線ｎほかを山折りして差込み片２１を後の側面板３０の内側に差込むだけで、簡単に上方に飛出した表示板２４を形成することができる構造であった。そして連続した適宜の切れ目線ｏを切断して、左右の側面板３０,３０と前の側面板３０との上部を除去するだけで、簡単に上部を開放して内容物を露出させることができる、店頭展示、販売用の紙箱が一般に広く用いられている。
【０００４】
さらに、図３Ａ、図３Ｂの改良とした紙箱として、本願出願人は、特願平１０−２４３４９０号を出願している。その構造は、図３Ｃに示すように、前後左右の側面板３０,３０,３０,３０に、ほゞ水平方向の２列のジッパー線ｌ,ｌで構成した、連続した広幅テープ状の切断開放片１５を区画して設けて、また前の側面板３０の切断開放片１５の下側に、前方に飛出し可能な表示板１７ほかを区画して設けたことによって、ほゞ水平方向の２列のジッパー線ｌ,ｌを切断して、連続した広幅テープ状の切断開放片１５を除去するだけで、簡単に上部を開放して内容物を露出させることができる、また表示板１７を押下げながら、前方手前に引出すだけで、簡単に前方に飛出した表示板１７を形成することができる、運搬、保管用を兼ねた板紙製や段ボール紙製などの、店頭展示、販売用の飛び出し表示板付き箱を提案している。
【０００５】
【発明が解決しようとする課題】
ところで、図３Ａ,Ｂに示す従来の店頭展示、販売用の紙箱については、また図３Ｃに示す店頭展示、販売用の飛び出し表示板付き箱についても、いずれも簡単に上部などを開蓋、開放して内容物を展示、露出させることができ、またいずれも簡単に上方又は前方に飛出した表示板２３,２４,１７を形成することができる構造の、運搬、保管用を兼ねた板紙製や段ボール紙製などの、店頭展示、販売用の紙箱である。しかし、店頭で商品を顧客の目線より下に配置、展示された場合、前記の構成の紙箱は、形成した上方又は前方に飛出した表示板２３,２４,１７が、いずれも垂直であるために、顧客の目線に表示板の表示が目に付き難く、セールスポイントなどを強くアピールすることができないことが問題であった。
【０００６】
ところで、本発明の目的は、袋入りや小箱入りのスナック菓子、食品類などを幅広く収容し、運搬、保管用を兼ねた板紙製や段ボール紙製などの紙箱において店頭で表示板の表示が顧客の目線に対してセールスポイントなどを強くアピールすることができる、また簡単に上部を開放して内容物を露出させて、顧客の購買意欲を唆ることができる店頭展示、販売用として好適な傾斜表示板付の紙箱を提供することにある。
【０００７】
【課題を解決するための手段】
本発明の請求項１に係る発明は、前面板，左右側面板，後面板を有し、前面板３０ａ，左右側面板３０，３０，後面板３０ｂに、ほゞ水平方向の２列のジッパー線ｌ，ｌで構成した、連続した広幅テープ状の切断開放片１５を区画して設けた直方体状の紙箱において、
前面板３０ａの広幅テープ状の切断開放片１５の下側に、傾斜表示板１０の上辺を谷折り線ｆを介して前面板３０ａと区画して、また傾斜表示板１０の下辺を切れ目線ｇを介して前面板３０ａと区画して、さらに傾斜表示板１０の斜めの左右辺に、三角折立て片１３，１３を折り目線ｈ，ｈを介して連設して、この三角折立て片１３，１３の左辺及び右辺と下辺とを切れ目線ｉ，ｉを介して前面板３０ａと区画して、また三角折立て片１３，１３の下部の向合った右辺及び左辺に、垂直連設片１４，１４を折り目線ｊ，ｊを介して連設して、この垂直連設片１４，１４の向合った右辺及び左辺を谷折り線ｋ，ｋを介して前面板３０ａと区画して、三角折立て片１３，１３を左右から挟むように押込んで折立てながら、傾斜表示板１０を前方手前に引出すことを特徴とする傾斜表示板付の紙箱である。
【０００８】
すなわち、本発明の傾斜表示板付の紙箱においては、前述した従来の、図３Ｃに示す表示板付の紙箱ような、ほゞ水平方向の２列のジッパー線ｌ，ｌを切断して、連続した広幅テープ状の切断開放片１５を除去するだけで、簡単に上部を開放して内容物を露出させることができる直方体状の紙箱において、
前面板３０ａの広幅テープ状の切断開放片１５の下側に、傾斜表示板１０の上辺を谷折り線ｆを介して前面板３０ａと区画して、また傾斜表示板１０の下辺を切れ目線ｇを介して前面板３０ａと区画して、さらに傾斜表示板１０の斜めの左右辺に、三角折立て片１３，１３を折り目線ｈ，ｈを介して連設して、この三角折立て片１３，１３の左辺及び右辺と下辺とを切れ目線ｉ，ｉを介して前面板３０ａと区画して、また三角折立て片１３，１３の下部の向合った右辺及び左辺に、垂直連設片１４，１４を折り目線ｊ，ｊを介して連設して、この垂直連設片１４，１４の向合った右辺及び左辺を谷折り線ｋ，ｋを介して前面板３０ａと区画して、図１，図２に示すように、まず切れ目線ｇと切れ目線ｉ，ｉとを切断して、三角折立て片１３，１３を左右から挟むように押込んで、下部の左辺及び右辺を内容物５０に接触させて折立てながら、次に谷折り線ｆと谷折り線ｋ，ｋとを谷折りして、傾斜表示板１０を前方手前に引出すことによって、
簡単に下方が飛出した傾斜表示板１０を形成することができ、しかも谷折り線ｆと三角折立て片１３，１３とが、この傾斜表示板１０の上辺と斜めの左右辺とを支えて保形して、また垂直連設片１４，１４と接触させた内容物５０とが、この三角折立て片１３，１３の下部の左右辺を支えて保形した、店頭展示、販売用の傾斜表示板付の紙箱を提供することができる。
【００１２】
また本発明の傾斜表示板付の紙箱については、後述する実施例に示すように、通常の印刷をした適宜の板紙などを用いて、通常の打抜型を用いた打抜工程で、無駄が少ない長方形状の傾斜表示板付の紙箱のブランクを作製して、通常の機械的な製箱、充填工程で、左の側面板３０の左端部と糊代片３１とを貼着するなどして、簡単に直方体状に製箱することができる、工程が簡単で作製費用が廉価な傾斜表示板付の紙箱を提供することができる。
【００１３】
【発明の実施の形態】
図１は、本発明の実施の形態における傾斜表示板付の紙箱のブランクの平面図である。
【００１４】
すなわち、上辺に折込み片２２を連設した左の側面板３０と、中央下部に下方が飛出し可能な傾斜表示部を区画して設けた前面板３０ａと、上辺に折込み片２２を連設した右の側面板３０と、上辺に上面板２０と差込み片２１とを連設した後面板３０ｂと、糊代片３１とを、それぞれ折り目線を介して順に連設して、これらの側面板３０,３０,３０,３０の下辺に、通常のオートロック式の底面板群４０,４０,４０,４０を、それぞれ折り目線を介して連設した、縦、横、高さが１２５×１０８×２３０mmの直方体状の紙箱のブランクである。
【００１５】
前面板３０ａの下方が飛出し可能な傾斜表示板１０ほかは、傾斜表示板１０の上辺を谷折り線ｆを介して前面板３０ａと区画して、また傾斜表示板１０の下辺を切れ目線ｇを介して前面板３０ａと区画して、さらに傾斜表示板１０の斜めの左右辺に、三角折立て片１３，１３を折り目線ｈ，ｈを介して連設して、この三角折立て片１３，１３の左辺及び右辺と下辺とを切れ目線ｉ，ｉを介して前面板３０ａと区画して、また三角折立て片１３，１３の下部の向合った右辺及び左辺に、垂直連設片１４，１４を折り目線ｊ，ｊを介して連設して、この垂直連設片１４，１４の向合った右辺及び左辺を谷折り線ｋ，ｋを介して前面板３０ａと区画して設けられている。
【００１６】
そして、前面板３０ａの傾斜表示板１０ほかの上方および左右の側面板３０,３０，後面板３０ｂと糊代片３１とに、ほゞ水平方向の２列の、それぞれ切断方向の上流側に屈曲部を有する多数の切れ目を、１〜２mmのつなぎを介して直線状に並べたジッパー線ｌ,ｌで構成した、連続した広幅テープ状の切断開放片１５を設けた。この切断開放片１５は、傾斜表示部の上方の中央につまみ片１６,１６を有する切断開放片１５を区画して設けられている。
【００１７】
本発明の実施例における図１に示す傾斜表示板付の紙箱のブランクは、通常の印刷をした３５０g/m2のコートボール紙を用いて通常の打抜型を用いた打抜工程で作製することができる。
【００１８】
図２Ａは、本発明の実施例における傾斜表示板付の紙箱の斜視図であって、また図２Ｂは、実施例の傾斜表示板付の紙箱において、下方が飛出した傾斜表示板１０を形成した状態と上部を開放して内容物５０を露出させた状態とを示す斜視図であって、さらに図２Ｃは、図２Ｂの下方が飛出した傾斜表示板１０の部分断面図である。
【００１９】
すなわち、図１に示す傾斜表示板付の紙箱のブランクにおいて、全ての符号がない１点鎖線で示す折り目線を山折りして、左の側面板３０の左端部と糊代片３１とを貼着して、同時にオートロック式の底面板群４０,４０,４０,４０どうしを貼着して、内容物である袋入りスナック菓子５０,５０,５０,５０,５０,５０を収容した後に、折込み片２２,２２と上面板２０とを折込んで被せて、差込み片２１を前の側面板３０の上部の内側に差込んで繋止することにより、本発明の実施例における運搬、保管用として好適に用いることができる、図２Ａに示す傾斜表示板付の紙箱を通常の機械的な製箱、充填工程で作製する。
【００２０】
続いて、図２Ａに示す傾斜表示板付の紙箱においては、店頭での簡単な手作業で、まず切れ目線ｇと切れ目線ｉ，ｉとを切断して、また折り目線ｈ，ｈと折り目線ｊ，ｊとを山折りして、図２Ｂ，Ｃに示すように、三角折立て片１３，１３を左右から挟むように押込んで、下部の左辺及び右辺を袋入りスナック菓子５０に接触させて折立てながら、次に谷折り線ｆと谷折り線ｋ，ｋとを谷折りして、傾斜表示板１０を前方手前に引出すことにより、簡単に下方が飛出した傾斜表示板１０を形成することができる。しかも谷折り線ｆと三角折立て片１３，１３とが、この傾斜表示板１０の上辺と斜めの左右辺とを支えて保形し、また垂直連設片１４，１４と接触させた袋入りスナック菓子５０とが、この三角折立て片１３，１３の下部の左右辺を支えて保形した、店頭展示、販売用として好適な傾斜表示板付の紙箱を得ることができる。
【００２１】
また、同図２Ａに示す傾斜表示板付の紙箱においては、店頭での簡単な手作業で、ほゞ水平方向の２列のジッパー線ｌ,ｌを、つまみ片１６,１６を引張って切断して、連続した広幅テープ状の切断開放片１５を除去することにより、図２Ｂに示すように、簡単に上部を開放して袋入りスナック菓子５０,５０,５０,５０,５０,５０を露出させることができる店頭展示、販売用として好適な傾斜表示板付の紙箱を得ることができる。
【００２２】
【発明の効果】
以上説明した通り、本発明の傾斜表示板付の紙箱においては、通常の印刷をした適宜の板紙や段ボール紙などを用いて、通常の打抜型を用いた打抜工程と通常の機械的な製箱、充填工程とで、運搬、保管用として好適に用いることができる傾斜表示板付の紙箱を作製することができる。
【００２３】
また実施例に示すとおり、本発明の傾斜表示板付の紙箱においては、それぞれ店頭での簡単な手作業で、下方が飛出した傾斜表示板を形成した傾斜表示部とすることができ、また上部を開放して内容物を露出させることができる店頭展示、販売用として好適な傾斜表示板付の紙箱を得ることができる。
【００２４】
すなわち、本発明の傾斜表示板付の紙箱においては、袋入りや小箱入りのスナック菓子、食品類などを幅広く収容する、運搬、保管用を兼ねた板紙製や段ボール紙製などの、簡単に下方が飛出した傾斜表示板を形成して、顧客の目線にセールスポイントなどを強くアピールすることができるものであって、また簡単に上部を開放して内容物を露出させて、顧客の購買意欲を唆ることができるものであって、店頭での商品の配置や展示状態などに応じて、適宜に傾斜表示板を形成して、また適宜に内容物を露出させて、広告、宣伝効果などを演出することができる店頭展示、販売用の傾斜表示板付の紙箱を提供することができる。
【図面の簡単な説明】
【図１】本発明の実施例における傾斜表示板付の紙箱のブランクの平面図である。
【図２】図２Ａは、本発明の実施例における傾斜表示板付の紙箱の斜視図、また図２Ｂは、実施例の傾斜表示板付の紙箱において、下方が飛出した傾斜表示板を形成した状態と上部を開放して内容物を露出させた状態とを示す斜視図、さらに図２Ｃは、図２Ｂの下方が飛出した傾斜表示板の部分断面図である。
【図３】従来の店頭展示、販売用の紙箱の斜視図である。
【符号の説明】
１０            …傾斜表示板
１３            …三角折立て片
１４            …垂直連設片
１５            …切断開放片
１６            …つまみ片
１７,２３,２４  …表示板
２０            …上面板
２１            …差込み片
２２            …折込み片
３０            …側面板
３１            …糊代片
３２            …展示開口
４０            …底面板群
５０            …内容物、袋入りスナック菓子
ｈ,ｊ,ｎ        …折り目線
ｇ,ｉ,ｏ        …切れ目線
ｆ,ｋ           …谷折り線
ｌ              …ジッパー線
【図１】
0003945111.tif 000002
【図２】
0003945111.tif 000003
【図３】
0003945111.tif 000004